(57)【要約】【課題】本発明は構造が簡単で、容易に設置することができるとともに、左右の建物が地震等によって異なる方向に大きく揺れ動いても、その揺れ動きを損傷することなく吸収することができる、比較的安価に製造することができる目地カバー装置を得るにある。【解決手段】一方の建物の目地部側壁面にほぼ垂直状態まで回動するように、ヒンジ部材を介して取付けられた一方の目地カバーと、この一方の目地カバーの先端部寄りの底面に上方へ回動可能に接続する接続ヒンジ部材を介して取付けられるとともに、ヒンジ部材の取付け部よりも下部に位置する他方の建物の目地部側壁面に外方へ突出する支持部材の上部に支持される他方の目地カバーと、この他方の目地カバーの下方の左右の側壁面に両端部が枢支された伸縮可能あるいはスライド移動可能に取付けられた少なくとも２個以上の中央維持リンクと、この中央維持リンクの中央部にそれぞれ取付けられた、他方の目地カバーの後端部寄りの底面と当接して支持する支持片と、他方の目地カバーの先端部寄りの底面部位に固定された先端部が他方の建物の目地部側壁面あるいは支持部材に当接する他方の目地カバー回動アームと、一端が支持部材の上部に固定され、他端部が一方の建物の目地部側壁面に取付けられた巻取り装置に巻き取られた、他方の目地カバーの先端部が支持部材の上部へ戻すことができるガイドとなる他方の目地カバー支持装置とで目地カバー装置を構成している。【選択図】　図３
2004137768.tif 000002
【特許請求の範囲】
【請求項１】
目地部を介して設けられた左右の建物の一方の建物の目地部側壁面にほぼ垂直状態まで回動するように、ヒンジ部材を介して取付けられた一方の目地カバーと、この一方の目地カバーの先端部寄りの底面に上方へ回動可能に接続する接続ヒンジ部材を介して取付けられるとともに、前記ヒンジ部材の取付け部よりも下部に位置する前記他方の建物の目地部側壁面に外方へ突出する支持部材の上部に支持される他方の目地カバーと、この他方の目地カバーの下方の左右の側壁面に両端部が枢支された伸縮可能あるいはスライド移動可能に取付けられた少なくとも２個以上の中央維持リンクと、この中央維持リンクの中央部にそれぞれ取付けられた、前記他方の目地カバーの後端部寄りの底面と当接して支持する支持片と、前記他方の目地カバーの先端部寄りの底面部位に固定された先端部が前記他方の建物の目地部側壁面あるいは支持部材に当接する他方の目地カバー回動アームと、一端が前記支持部材の上部に固定され、他端部が一方の建物の目地部側壁面に取付けられた巻取り装置に巻き取られた、前記他方の目地カバーの先端部が前記支持部材の上部へ戻すことができるガイドとなる他方の目地カバー支持装置とからなることを特徴とする目地カバー装置。
【請求項２】
目地部を介して設けられた左右の建物の一方の建物の目地部側壁面にほぼ垂直状態まで回動するように、ヒンジ部材を介して取付けられた一方の目地カバーと、この一方の目地カバーの先端部寄りの底面に上方へ回動可能に接続する接続ヒンジ部材を介して取付けられるとともに、前記ヒンジ部材の取付け部よりも下部に位置する前記他方の建物の目地部側壁面に外方へ突出する支持部材の上部に支持される他方の目地カバーと、この他方の目地カバーの下方の左右の側壁面に両端部が枢支された伸縮可能あるいはスライド移動可能に取付けられた少なくとも２個以上の中央維持リンクと、この中央維持リンクの中央部にそれぞれ取付けられた、前記他方の目地カバーの後端部寄りの底面と当接して支持する支持片と、前記他方の目地カバーの先端部寄りの底面部位に固定された先端部が前記他方の建物の目地部側壁面あるいは支持部材に当接する他方の目地カバー回動アームと、一端が前記支持部材の上部に固定され、他端部が一方の建物の目地部側壁面に取付けられた巻取り装置に巻き取られた、前記他方の目地カバーの先端部が前記支持部材の上部へ戻すことができるガイドとなる他方の目地カバー支持装置と、前記一方の目地カバーの後端部の、上部の一方の建物の目地部側壁面に取付けられた、該一方の目地カバーの回動を阻止することなく、下方への雨水の浸入を阻止する水切りカバーとからなることを特徴とする目地カバー装置。
【請求項３】
目地部を介して設けられた左右の建物の一方の建物の目地部側壁面に固定されたクランク状の持出板の先端部にほぼ垂直状態まで回動するようにヒンジ部材を介して取付けられた一方の目地カバーと、この一方の目地カバーの先端部寄りの底面に上方へ回動可能に接続する接続ヒンジ部材を介して取付けられるとともに、前記ヒンジ部材の取付け部よりも下部に位置する前記他方の建物の目地部側壁面に外方へ突出する支持部材の上部に支持される他方の目地カバーと、この他方の目地カバーの下方の左右の側壁面に両端部が枢支された伸縮可能あるいはスライド移動可能に取付けられた少なくとも２個以上の中央維持リンクと、この中央維持リンクの中央部にそれぞれ取付けられた、前記他方の目地カバーの後端部寄りの底面と当接して支持する支持片と、前記他方の目地カバーの先端部寄りの底面部位に固定された先端部が前記他方の建物の目地部側壁面あるいは支持部材に当接する他方の目地カバー回動アームと、一端が前記支持部材の上部に固定され、他端部が一方の建物の目地部側壁面に取付けられた巻取り装置に巻き取られた、前記他方の目地カバーの先端部が前記支持部材の上部へ戻すことができるガイドとなる他方の目地カバー支持装置とからなることを特徴とする目地カバー装置。
【発明の詳細な説明】
【０００１】
【発明の属する技術分野】
本発明は目地部を介して設けられた左右の建物の目地部間を覆う目地カバー装置に関する。
【０００２】
【従来の技術】
従来、左右の建物の目地部間の上部を覆う目地カバー装置としては、Ｌ字状の複数枚の目地カバーの先端部がそれぞれ重なり合うように配置して目地部を覆うとともに、これらの複数枚の目地カバーを左右の建物が地震等によって異なる左右方向に揺れ動いた場合に、伸縮可能に支持する支持機構によって支持されている。
【０００３】
【発明が解決しようとする課題】
従来の目地カバー装置は部品点数が多く、構造が複雑で、コスト高になるとともに、目地部の幅寸法のほぼ半分の寸法分の伸縮にしか対応することができず、大きな揺れ動きでは損傷してしまうという欠点があった。
【０００４】
本発明は以上のような従来の欠点に鑑み、構造が簡単で、容易に設置することができるとともに、左右の建物が地震等によって異なる方向に大きく揺れ動いても、その揺れ動きを損傷することなく吸収することができる、比較的安価に製造することができる目地カバー装置を提供することを目的としている。
【０００５】
本発明の前記ならびにそのほかの目的と新規な特徴は次の説明を添付図面と照らし合わせて読むと、より完全に明らかになるであろう。
ただし、図面はもっぱら解説のためのものであって、本発明の技術的範囲を限定するものではない。
【０００６】
【課題を解決するための手段】
上記目的を達成するために、本発明は目地部を介して設けられた左右の建物の一方の建物の目地部側壁面にほぼ垂直状態まで回動するように、ヒンジ部材を介して取付けられた一方の目地カバーと、この一方の目地カバーの先端部寄りの底面に上方へ回動可能に接続する接続ヒンジ部材を介して取付けられるとともに、前記ヒンジ部材の取付け部よりも下部に位置する前記他方の建物の目地部側壁面に外方へ突出する支持部材の上部に支持される他方の目地カバーと、この他方の目地カバーの下方の左右の側壁面に両端部が枢支された伸縮可能あるいはスライド移動可能に取付けられた少なくとも２個以上の中央維持リンクと、この中央維持リンクの中央部にそれぞれ取付けられた、前記他方の目地カバーの後端部寄りの底面と当接して支持する支持片と、前記他方の目地カバーの先端部寄りの底面部位に固定された先端部が前記他方の建物の目地部側壁面あるいは支持部材に当接する他方の目地カバー回動アームと、一端が前記支持部材の上部に固定され、他端部が一方の建物の目地部側壁面に取付けられた巻取り装置に巻き取られた、前記他方の目地カバーの先端部が前記支持部材の上部へ戻すことができるガイドとなる他方の目地カバー支持装置とで目地カバー装置を構成している。
【０００７】
【発明の実施の形態】
以下、図面に示す実施の形態により、本発明を詳細に説明する。
【０００８】
図１ないし図９に示す本発明の第１の実施の形態において、１は目地部２を介して設けられた左右の建物３、３の目地部側の壁面３ａ、３ａ間を、雨漏りを防止できるように覆う本発明の目地カバー装置で、この目地カバー装置１は前記左右の建物３、３の一方の建物３の目地部側壁面３ａに複数本のビス４等によって固定されたクランク状の持出板５の先端部にほぼ垂直状態まで回動するようにヒンジ部材６を介して取付けられた一方の目地カバー７と、この一方の目地カバー７の先端部寄りの底面に上方へ回動可能に接続する接続ヒンジ部材８を介して取付けられるとともに、前記ヒンジ部材６の取付け部よりも下部に位置する、前記他方の建物３の目地部側壁面３ａに外方へ突出するように形成された躯体あるいは複数本のビス等で固定された支持部材９の排水溝１０を有する上部に支持される他方の目地カバー１１と、この他方の目地カバー１１の下方の左右の側壁面３ａ、３ａに両端部が枢支された伸縮可能な四角枠形状のリンク１２、このリンク１２の一方の対向するバー部材１２ａ、１２ａのほぼ中央部に両端部が枢支ピン１３、１３で枢支された中央支持バー１４とからなる少なくとも２個以上の中央維持リンク１５と、この中央維持リンク１５の中央支持バー１４の中央部にそれぞれ取付けられた、前記他方の目地カバー１１の後端部寄りの底面と当接して支持する支持片１６と、前記他方の目地カバー１１の先端部寄りの底面部位に固定された先端部が前記他方の建物３の支持部材９に当接する他方の目地カバー回動アーム１７と、一端が前記支持部材９の上部に固定され、他端部が一方の建物３の目地部側壁面３ａに取付けられた巻取り装置１８に巻取られた、前記他方の目地カバー１１の先端部が前記支持部材９の上部へ戻すことができるガイドとなるワイヤー１９を用いた他方の目地カバー支持装置２０と、前記一方の目地カバー７の後端部の上部の一方の建物３の目地部側壁面３ａに取付けられた、該一方の目地カバー７の回動を阻止することなく下方への雨水の浸入を阻止する水切りカバー２１とで構成されている。
【０００９】
前記一方の目地カバー７は図４に示すように、枠状に形成された一方の目地カバーフレーム２２と、この一方の目地カバーフレーム２２の上部を覆う一方の目地カバー本体２３と、この一方の目地カバー本体２３の後端部より後方へ突出して上方へ折り曲げられた水切片２４とで構成されている。
【００１０】
前記他方の目地カバー１１は図５に示すように、枠状に形成された他方の目地カバーフレーム２５と、この他方の目地カバーフレーム２５の上部を覆う他方の目地カバー本体２６と、この他方の目地カバー本体２６の後端部よりアングル状に後方へ突出された取付片２７とで構成されてる。
【００１１】
前記水切りカバー２１は図６に示すように、前記一方の建物３の目地部側壁面３ａに形成された凹部２８内に複数本のビス２９等によって固定される取付片３０と、この取付片３０の下端部と一体形成された先端部が順次下方へ突出する水切りカバー本体３１と、この水切りカバー本体３１の先端部に下方へ突出するように形成された水切片３２とで構成されている。
【００１２】
上記構成の目地カバー装置１は、通常時は図１ないし図３に示すように他方の目地カバー１１の後端部寄りの部位が伸縮可能な中央維持リンク１５に取付けられた支持片１６で支持され、一方の目地カバー７と他方の目地カバー１１が傾斜状態となり、雨水等は水切りカバー２１、一方の目地カバー７および他方の目地カバー１１より排水溝１０へと流れる。
【００１３】
地震等によって目地部２が狭くなるように左右の建物３、３が揺れ動いた場合には、図７および図８に示すように他方の目地カバー回動アーム１７が他方の建物３によって一方の建物３側へ押し圧されるため、他方の目地カバー１１の先端部を支点にして後端部を上方へ回動させるとともに、一方の目地カバー７の先端部も上方へ回動させ、一方の目地カバー７がほぼ垂直状態となるまで上方へ回動して、その揺れ動きを吸収する。
揺れ動きが停止した場合には、自動的に元の状態に戻る。
【００１４】
地震等によって目地部２が広くなるように左右の建物３、３が揺れ動いた場合には、図９に示すように他方の目地カバー１１の先端部が他方の目地カバー支持装置２０のワイヤー１９上をスライド移動して、その揺れ動きを吸収し、揺れ動きが停止すると他方の目地カバー１１の先端部がワイヤー１９上をスライド移動して支持部材９の上部へ自動的に戻る。
【００１５】
【発明の異なる実施の形態】
次に、図１０ないし図１５に示す本発明の異なる実施の形態につき説明する。なお、これらの本発明の異なる実施の形態の説明に当って、前記本発明の第１の実施の形態と同一構成部分には同一符号を付して重複する説明を省略する。
【００１６】
図１０ないし図１２に示す本発明の第２の実施の形態において、前記本発明の第１の実施の形態と主に異なる点は、左右の建物３、３の目地部側壁面３ａ、３ａに固定されたレール３３、３３と、このレール３３、３３に傾斜状態で配置された両端部がスライド移動可能に取付けられた少なくとも２個以上の支持バー３４、３４とからなる中央維持リンク１５Ａを用いた点で、このような中央維持リンク１５Ａを用いて構成した目地カバー装置１Ａにしても、前記本発明の第１の実施の形態と同様な作用効果が得られる。
【００１７】
図１３ないし図１５に示す本発明の第３の実施の形態において、前記本発明の第１の実施の形態と主に異なる点は、一方の先端部が外方へ突出してほぼ直角に折り曲げられた一方の建物３の目地部側壁面３ａに複数本のビス３５で固定することができるヒンジ部材６Ａを用いた点で、このようなヒンジ部材６Ａを用いて構成した目地カバー装置１Ｂにしても、前記本発明の第１の実施の形態と同様な作用効果が得られる。
【００１８】
【発明の効果】
以上の説明から明らかなように、本発明にあっては次に列挙する効果が得られる。
【００１９】
（１）目地部を介して設けられた左右の建物の一方の建物の目地部側壁面にほぼ垂直状態まで回動するように、ヒンジ部材を介して取付けられた一方の目地カバーと、この一方の目地カバーの先端部寄りの底面に上方へ回動可能に接続する接続ヒンジ部材を介して取付けられるとともに、前記ヒンジ部材の取付け部よりも下部に位置する前記他方の建物の目地部側壁面に外方へ突出する支持部材の上部に支持される他方の目地カバーと、この他方の目地カバーの下方の左右の側壁面に両端部が枢支された伸縮可能あるいはスライド移動可能に取付けられた少なくとも２個以上の中央維持リンクと、この中央維持リンクの中央部にそれぞれ取付けられた、前記他方の目地カバーの後端部寄りの底面と当接して支持する支持片と、前記他方の目地カバーの先端部寄りの底面部位に固定された先端部が前記他方の建物の目地部側壁面あるいは支持部材に当接する他方の目地カバー回動アームと、一端が前記支持部材の上部に固定され、他端部が一方の建物の目地部側壁面に取付けられた巻取り装置に巻き取られた、前記他方の目地カバーの先端部が前記支持部材の上部へ戻すことができるガイドとなる他方の目地カバー支持装置とで構成されているので、地震等で目地部が狭くなるように揺れ動くと、他方の目地カバー回動アームの押し付けにより、他方の目地カバーの後端部および一方の目地カバーの先端部を上方へ回動させることができる。
したがって、一方の目地カバーと他方の目地カバーを２つ折り状態に回動させて、その揺れ動きを吸収することができる。
【００２０】
（２）前記（１）によって、地震等によって目地部が広くなるように揺れ動くと、他方の目地カバーの先端部と他方の建物の目地部側壁面の支持部材とが離れて、その揺れ動きを吸収するとともに、揺れ動きが停止すると他方の目地カバーの先端部は他方の目地カバー支持装置によって元の支持部材の上部へ自動的に戻ることができる。
【００２１】
（３）前記（１）によって、他方の目地カバーの後端部寄りの部位が中央維持リンクの中央部に位置する支持片で支持されるため、十分な強度が得られる。
【００２２】
（４）前記（１）によって、部品点数が少なく、構造が簡単であるので、安価に製造することができる。
【００２３】
（５）請求項２、３も前記（１）〜（４）と同様な効果が得られる。
【図面の簡単な説明】
【図１】本発明の第１の実施の形態の平面図。
【図２】本発明の第１の実施の形態の底面図。
【図３】図１の３−３線に沿う拡大断面図。
【図４】本発明の第１の実施の形態の一方の目地カバーの説明図。
【図５】本発明の第１の実施の形態の他方の目地カバーの説明図。
【図６】本発明の第１の実施の形態の水切りカバーの説明図。
【図７】本発明の第１の実施の形態の目地部が狭くなる初めの動作説明図。
【図８】本発明の第１の実施の形態の目地部が狭くなる状態の動作説明図。
【図９】本発明の第１の実施の形態の目地部が広くなる状態の動作説明図。
【図１０】本発明の第２の実施の形態の平面図。
【図１１】図１０の１１−１１線に沿う拡大断面図。
【図１２】本発明の第２の実施の形態の中央維持リンクの説明図。
【図１３】本発明の第３の実施の形態の平面図。
【図１４】図１３の１４−１４線に沿う拡大断面図。
【図１５】本発明の第３の実施の形態のヒンジ部材の説明図。
【符号の説明】
１、１Ａ、１Ｂ：目地カバー装置、
２：目地部、　　　　　　３：建物、
４：ビス、　　　　　　　５：持出板、
６、６Ａ：ヒンジ部材、　７：一方の目地カバー、
８：接続ヒンジ部材、　　９：支持部材、
１０：排水溝、　　　　　１１：他方の目地カバー、
１２：リンク、　　　　　１３：枢支ピン、
１４：中央支持バー、
１５、１５Ａ：中央維持リンク、
１６：支持片、
１７：他方の目地カバー回動アーム、
１８：巻取り装置、　　　１９：ワイヤー、
２０：他方の目地カバー支持装置、
２１：水切りカバー、
２２：一方の目地カバーフレーム、
２３：一方の目地カバー本体、
２４：水切片、
２５：他方の目地カバーフレーム、
２６：他方の目地カバー本体、
２７：取付片、　　　　　２８：凹部、
２９：ビス、　　　　　　３０：取付片、
３１：水切りカバー本体、３２：水切片、
３３：レール、　　　　　３４：支持バー、
３５：ビス。
【図１】
2004137768.tif 000003
【図２】
2004137768.tif 000004
【図３】
2004137768.tif 000005
【図４】
2004137768.tif 000006
【図５】
2004137768.tif 000007
【図６】
2004137768.tif 000008
【図７】
2004137768.tif 000009
【図８】
2004137768.tif 000010
【図９】
2004137768.tif 000011
【図１０】
2004137768.tif 000012
【図１１】
2004137768.tif 000013
【図１２】
2004137768.tif 000014
【図１３】
2004137768.tif 000015
【図１４】
2004137768.tif 000016
【図１５】
2004137768.tif 000017